(57)【要約】【課題】コンピュータの省エネルギーの制御方法を提供する。【解決手段】主にコンピュータ装置１の適切な位置に一つの赤外線センサー２が設けられ、コンピュータ装置１の中に１枚の微処理チップ４及び基本入出力システム３が設けられる。基本入出力システム３の中に、一つの省エネルギープログラム制御コード３１０が設けられる。赤外線センサー２は、捜索範囲内の人体の遠赤外線反応を探知し、反応のない場合、一定の間隔時間後、改めて遠赤外線反応を探知する。同じく反応のない場合は、割込み信号を微処理チップ４に送信し、処理チップ４が省エネルギープログラム制御コード３１０の省エネルギー設定内容３２０に従って、コンピュータシステム１を省エネルギーのモードに変更させる。さらに、間隔時間を経過した後、再び赤外線センサー２で、遠赤外線反応があるかどうかを判断し、省エネルギーモードの維持又は解除を判断制御する。【選択図】    図１
2004280561.tif 000002
【特許請求の範囲】
【請求項１】
コンピュータ装置に応用する省エネルギーの制御方法に関し、コンピュータ装置の適切な位置に一つの赤外線センサーが設けられ、そのコンピュータ装置の中に１枚の微処理チップ及び基本入出力システムが設けられ、その基本入出力システムの中に、一つの省エネルギープログラム制御コードが設けられ、そのコンピュータ装置が正常な操作状態である場合、その赤外線センサーは、一つの捜索範囲内に下記のステップによる処理及び判断を行い、
まず、外部へ遠赤外線を発射し、人体の遠赤外線反応があるかどうかを判断し、反応がなければ、一定の間隔時間を経過した後、改めて外部へ遠赤外線を発射し、
改めて人体の遠赤外線反応があるかどうかを判断し、反応がなければ、一つの割込み信号を微処理チップへ送信し、その微処理チップはその省エネルギープログラム制御コードの省エネルギー設定内容に従って、そのコンピュータ装置を省エネルギーモードに変更させ、
もう一つの間隔時間を経過した後、外部へ遠赤外線を発射し、
又、人体の遠赤外線反応があるかどうかを判断し、その反応がある場合、もう一つの割込み信号をその微処理チップに送信し、その微処理チップよりそのコンピュータ装置に省エネルギーモードを解除させることで、正常な操作状態に回復させることを特徴とするコンピュータ装置に応用する省エネルギーの制御方法。
【請求項２】
その赤外線センサーより、外部へ遠赤外線を発射した後、人体の遠赤外線反応を探知した場合、続いて絶えずに外部へ遠赤外線を発射することを特徴とする請求項１記載のコンピュータ装置に応用する省エネルギーの制御方法。
【請求項３】
その赤外線センサーが間隔時間を経過して、改めて外部へ遠赤外線を発射した後、人体の遠赤外線反応を探知した場合、続いて絶えずに外部へ遠赤外線を発射することを特徴とする請求項１記載のコンピュータ装置に応用する省エネルギーの制御方法。
【請求項４】
その赤外線センサーがもう一つの間隔時間を経過して、改めて外部へ遠赤外線を発射した後、人体の遠赤外線反応を探知できない場合、続いて絶えずに外部へ遠赤外線を発射することを特徴とする請求項１記載のコンピュータ装置に応用する省エネルギーの制御方法。
【請求項５】
その基本入出力システムは一つの読取専用ユニット及び一つの記憶ユニットを含み、その読取専用ユニットにより、その省エネルギープログラム制御コードを記憶し、又、その記憶ユニットによる、省エネルギーモードの省エネルギー設定内容を記憶することで、基本入出力システムの中に入って、省エネルギーモードの省エネルギー設定内容の設定を行うことを特徴とする請求項１記載のコンピュータ装置に応用する省エネルギーの制御方法。
【請求項６】
その読取専用ユニットは読み取りメモリーを使用可能であることを特徴とする請求項５記載のコンピュータ装置に応用する省エネルギーの制御方法。
【請求項７】
その読取専用ユニットは相補形金属酸化膜半導体を使用可能であることを特徴とする請求項５記載のコンピュータ装置に応用する省エネルギーの制御方法。
【請求項８】
そのコンピュータ装置はノートコンピュータを使用可能であることを特徴とする請求項１記載のコンピュータ装置に応用する省エネルギーの制御方法。
【請求項９】
そのノートコンピュータの液晶スクリーンのバックライトは暫くオフさせられる状態であることを特徴とする請求項８記載のコンピュータ装置に応用する省エネルギーの制御方法。
【請求項１０】
その省エネルギーの設定内容は、そのコンピュータ装置に何らかのプログラム、データを処理させないまま、直接スタンバイ状態に入ることを指すものであることを特徴とする請求項１記載のコンピュータ装置に応用する省エネルギーの制御方法。
【発明の詳細な説明】
【０００１】
【発明の属する技術分野】
本発明は、コンピュータ装置に応用する省エネルギーの制御方法に関する。
【０００２】
【従来の技術】
コンピュータが発明された以来、コンピュータによる生じられた関連の情報製品が素早く発展したおかげで、人間に無限な便利性のある製品を提供し、我々の生活に緊密の関係を結んでいるので、我々が生活している世界は、正式に情報が盛んでいる情報新時代に入ったのである。情報技術の飛躍的の進歩による、人類はますます各種の情報製品の機能及び品質を重視する。特にノートコンピュータが広く応用された以来、将来のノートコンピュータが人間にもっと便利、有効、人間性のある全面的のサービスを提供できるかどうかは、各国の情報製品の製造技術はその他の国より先進するかどうかを判断する重要な基準の一つになるものである。
【０００３】
【発明が解決しようとする課題】
現在、市販の各種のコンピュータ装置について、例えば、ノートコンピュータ又はデスクトップコンピュータを毎回オン、オフする場合、いつも相当な時間がかかるが、大勢の人がコンピュータ装置を操作する場合、良く突発する状況のため、例えば、会社の上司よりの会議室へ会議する臨時通知を引き受け、又は突然メーカーが訪ねてきたため、コンピュータをオンしたまま席を外したかオフすることを忘れて、コンピュータがずっとオンする状態にある。使用者が席を外した後、そのコンピュータ装置は絶えずに電力を消耗している。例えば、そのコンピュータ装置のスクリーン又は中央処理装置は、絶えずにたくさんのパワーを消耗するため、無駄な浪費をもたらす。又は、使用者が席を外す前に、オフをする時間があり、会議の時間又はメーカーの訪ねる時間は長くないかもしれないので、使用者が間もなく席を戻れる場合、そのコンピュータ装置は既にオフしたため、使用者が改めて時間をかけてオンしなければならないので、一日中何回も席を外して、その他のことを処理することが必要であれば、オン及びオフするため、たくさんの時間がかかるので、仕事を処理する時間が少なくなり、全体のワーク効率に影響するのである。
【０００４】
ノートパソコン又はデスクストップコンピュータを毎回オン又はオフする場合、いつも一定の時間がかかるが、大勢の人がコンピュータ装置を操作する場合、良く突発する状況のため、コンピュータをオンするまま慌てて席を外したかオフすることを忘れて、  コンピュータがずっとオンする状態にあるので、使用者が席を外した後、そのコンピュータ装置が絶えずに電力を消耗しているため、無駄な浪費をもたらす。又は、使用者が席を外す前に、コンピュータ装置をオフしても、使用者が席に戻した後、改めて時間がかかってオンしなければならないので、ワーク効率に影響される。又、各コンピュータの大手メーカーの間での競争がひどいので、消費者に対する設計がちょっとだけあっても、売上の良いか悪いかのキーポイントになる。
【０００５】
したがって本発明の目的は、コンピュータの省エネルギーの制御方法を提供することにある。使用者がコンピュータから一定の時間を外すことが必要する場合、コンピュータ装置がすぐ省エネルギーのモードに変更するので、使用者が改めてコンピュータ装置に戻る場合、そのコンピュータ装置が直ちにその省エネルギーモードを解除して、一般の操作モードに戻れるものである。この製品があれば、企業主と消費者にとって、完璧及び人間性に合う偉い貢献と思われる。
【０００６】
【課題を解決するための手段】
上述の目的を達成するために、本発明の請求項に記載のコンピュータ装置に応用する省エネルギーの制御方法は、主に赤外線センサーが生活に広くて応用されることから発想された。例えば、赤外線の感応によるトイレ自動洗浄設備。そのため、この創作の目的の一つは、コンピュータ装置に応用する省エネルギー方法を研究開発したいのである。その主要な技術は、コンピュータ装置に１枚の微処理チップ及び一つの赤外線センサーが設けられ、そのコンピュータ装置の基本入出力システムの中に、一つの省エネルギープログラム制御コードが設けられ、そのコンピュータ装置が正常な操作状態である場合、その赤外線センサーは、一つの捜索範囲内に人体の遠赤外線反応を探知できる。反応のない場合、一定の間隔時間内、改めて人体の遠赤外線反応を探知する。同じく反応のない場合であれば、一つの割込み信号を微処理チップに送信することで、その処理チップが省エネルギープログラム制御コードの設定内容に従って、そのコンピュータシステムを省エネルギーのモードに変更させるものである。それによる、コンピュータがワーク状態ではない場合、絶えずに電力を消耗して、無駄な浪費をもたらすことを避けられるのである。
【０００７】
【発明の実施の形態】
以下、本発明の実施例を図面に基づいて説明する。
本発明はコンピュータ装置に応用する省エネルギーの制御方法に関するものである。図１に示すように、その方法は、主にコンピュータ装置１（例えば、ノートコンピュータ）の適切な位置に一つの赤外線センサー２が設けられ、そのコンピュータ装置１の中に１枚の微処理チップ４及び基本入出力システム３（Ｂａｓｉｃ  Ｉｎｐｕｔ／Ｏｕｔｐｕｔ  Ｓｙｓｔｅｍ  ＢＩＯＳを略称する）が設けられる。その基本入出力システム３の中に、一つの省エネルギープログラム制御コード３１０が設けられる。そのコンピュータ装置１が正常な操作状態である場合（例えば、そのコンピュータ装置１がオンする状態である場合、又は再起動した後）、その赤外線センサー２は、一つの捜索範囲内の人体の遠赤外線反応を探知できる。反応のない場合、一定の間隔時間内、改めて人体の遠赤外線反応を探知する。同じく反応のない場合は、一つの割込み信号（ｉｎｔｅｒｒｕｐｔ  ｓｉｇｎａｌ）を微処理チップ４に送信することで、その処理チップ４は省エネルギープログラム制御コード３１０の省エネルギー設定内容３２０に従って、そのコンピュータシステム１を省エネルギーのモードに変更させる。しかも、間隔時間を経過した後、その赤外線センサー２は、続いて外部へ遠赤外線を発射して、人体の遠赤外線反応があるかどうかを判断し、反応がある場合、もう一つの割込み信号をその微処理チップ４へ送信することで、コンピュータ装置１よりその省エネルギーモードを解除して、正常な操作状態に戻る。反応のない場合、その省エネルギー状態を維持し、又一定の間隔時間を経過してから、続いて外部へ遠赤外線を発射して、人体の遠赤外線反応があるかどうかを判断する。
【０００８】
図１に示すように、本発明の実施例では赤外線センサー２の作用を利用して、使用者がコンピュータ装置１の前に操作しているかどうかを探知する。そのため、その使用者が暫くコンピュータ装置１を外すだけ、例えば、プリントする時、プリンターの上での用紙がなくなったため、プリンターへ用紙を補充するか、席を外してお茶を入れる場合、そのコンピュータ装置１は人体の遠赤外線を探知できないので、直ちに省エネルギー状態に入るが、使用者がコンピュータ装置１に戻り、その赤外線センサー２が使用者を探知した後は、又そのコンピュータ装置１を正常な状態に戻す。しかし、このような動作はたくさん時間がかかったので、暫くコンピュータ装置１を外した使用者にとっては、逆に使用上の妨げになる。そのため、この発明が省エネルギーモードに変更する前に、その赤外線センサー２が複数の探知を行う（例えば、２回を探知する）ことで、使用者の席を外す状況を確認する。毎回の探知間隔時間（例えば３０秒）は実際の必要による設定できるので、そのコンピュータ装置１は、使用者が暫く席を外したため、直ちに省エネルギーの状態に変更して、使用者が操作上の不便になることを生じないのである。
【０００９】
図１に示すように、本実施例はその基本入出力システム３が読取専用ユニット３１及び一つの記憶ユニット３２を含み、その読取専用ユニット３１の目的は、その省エネルギープログラム制御コード３１０を記憶するのもであり、それは一つの読取専用メモリー（Ｒｅａｄ  Ｏｎｌｙ  Ｍｅｍｏｒｙ、ＲＯＭを省略する）を使うことが出来る。又、  その記憶ユニット３２による、省エネルギーモードの省エネルギー設定内容３２０を記憶できる。それは相補形金属酸化膜半導体（Ｃｏｍｐｌｅｍｅｎｔａｒｙ  Ｍｅｔａｌ  Ｏｘｉｄｅ  Ｓｅｍｉｃｏｎｄｕｃｔｏｒ，ＣＭＯＳを略称する）を使用可能である。それによる、使用者が基本入出力システム３の中に入って、省エネルギーモードの省エネルギー設定内容３２０の設定を行える。又、その省エネルギーモードの省エネルギー設定内容３２０の関連する情報はさまざまな変化に対応可能である。例えば、そのコンピュータ装置１はノートコンピュータである場合、液晶スクリーンのバックライトを暫くオフさせられる。又、そのコンピュータ装置１の中央処理装置に暫く作動しないことをさせられる。又は、そのコンピュータ装置１に何らかのプログラム、データを処理させないまま、直接スタンバイ状態に入ることで、パワーの消耗を低下できるものである。
【００１０】
図２に示すように、本実施例でコンピュータ装置１は正常な操作状態である場合、赤外線センサー２はどうやって処理方式を行うか、下記のステップにより詳しく説明する。
（１０１）外部へ遠赤外線を発射する。
（１０２）人体の遠赤外線反応があるかどうかを判断する。反応があれば、ステップ（１０１）を繰り返して行う。反応がなければ、次のステップ（１０３）を行う。
（１０３）一定の間隔時間を経過した後、改めて外部へ遠赤外線を発射する。
（１０４）改めて人体の遠赤外線反応があるかどうかを判断する。反応があれば、ステップ（１０１）を行う。反応がなければ、次のステップ（１０５）を行う。
（１０５）一つの割込み信号を微処理チップ４へ送信する。
（１０６）一定の間隔時間を経過した後、外部へ遠赤外線を発射する。
（１０７）人体の遠赤外線反応があるかどうかを判断とする。反応があれば、ステップ（１０８）を行う。反応がなければ、次のステップ（１０６）を行う。
（１０８）もう一つの割込み信号を微処理チップ４へ送信し、ステップ（１０１）を繰り返して行う。
その微処理チップ４は以上の判断プロセスにより、下記のステップで処理を行う。
（２０１）割り込み信号が届いたかどうかを判断とする。届いた場合、次のステップ（２０２）を行う。届いてない場合、このステップ（２０１）を繰り返して行う。
（２０２）その省エネルギープログラム制御コード３１０の省エネルギー設定内容３２０に従って、そのコンピュータ装置１を省エネルギーモードに変更させる。
（２０３）一定の間隔時間を経過した後、もう一つの割込み信号が届くかどうかを判断とする。届いた場合、次のステップ（２０４）を行う。届いてない場合、このステップ（２０３）を繰り返して行う。
（２０４）コンピュータ装置１に省エネルギーモードを解除させることで、正常な操作状態に回復させる。且つ、ステップ（２０１）を繰り返して行う。
【図面の簡単な説明】
【図１】本発明の一実施例によるコンピュータ装置に応用する省エネルギーの制御方法を示す平面説明図である。
【図２】本発明の一実施例によるコンピュータ装置に応用する省エネルギーの制御方法による赤外線センサーの動作を示すフローチャートである。
【図３】本発明の一実施例によるコンピュータ装置に応用する省エネルギーの制御方法による微処理チップの動作を示すフローチャートである。
【符号の説明】
１    コンピュータ装置
２    赤外線センサー
３    基本入出力システム
４    微処理チップ
３１    読取専用ユニット
３２    記憶ユニット
３１０    省エネルギープログラム制御コード
３２０    省エネルギー設定内容
【図１】
2004280561.tif 000003
【図２】
2004280561.tif 000004
【図３】
2004280561.tif 000005